(57)【要約】【課題】包材コストが比較的に安価であり、四角な形態でコンパクトで軽量であり物流コストが削減でき、店頭での展示効果が良好で、インライン充填が可能な補強四角底パウチを提供する。【解決手段】単層又は多層の熱可塑性樹脂フィルムからなり、底面１１６を四角形に形成したパウチ本体１１０の表裏左右側面の外側の下方部に、シート状補強材１２０を全面熱融着して設ける。また、パウチ本体１１０の背シール部１１７は合掌シールで、この背シール部以外の表裏左右側面の外側に、シート状補強材１２０を全面熱融着して設ける。【選択図】図１
2009067445.tif 000002
【特許請求の範囲】
【請求項１】
単層又は多層の熱可塑性樹脂フィルムからなり、底部を四角形に形成したパウチ本体の表裏左右側面の外側に、シート状補強材を全面熱融着して設けたことを特徴とする補強四角底パウチ。
【請求項２】
前記シート状補強材が、前記パウチ本体の表裏左右側面の外側の下方部に全面熱融着して設けたことを特徴とする請求項１記載の補強四角底パウチ。
【請求項３】
前記パウチ本体の背シール部が合掌シールで、該背シール部以外の表裏左右側面の外側に、シート状補強材を全面熱融着して設けたことを特徴とする請求項１又は２記載の補強四角底パウチ。
【請求項４】
前記シート状補強材が、板紙であることを特徴とする請求項１乃至３のいずれかに記載の補強四角底パウチ。
【請求項５】
前記シート状補強材が、熱可塑性樹脂シートであることを特徴とする請求項１乃至３のいずれかに記載の補強四角底パウチ。
【請求項６】
前記シート状補強材の片面にヒートシール性樹脂層を設け、該シート状補強材のヒートシール性樹脂層を、前記パウチ本体の外面に全面熱融着したことを特徴とする請求項１乃至５のいずれかに記載の補強四角底パウチ。
【発明の詳細な説明】
【技術分野】
【０００１】
本発明は、液体、粘体、粉体、顆粒などの内容物を収納する補強四角底パウチに関するものである。
【背景技術】
【０００２】
従来、液体の内容物を収納する自立型の容器としては、例えば、台所洗剤、洗濯柔軟剤、食用油などに使用される角柱状の紙器や、果汁などの飲料、スープなどの加工食品、紅茶等の加工食品，詰替え用容器として使用される柔軟なスタンディングパウチなどがあった。
【発明の開示】
【発明が解決しようとする課題】
【０００３】
しかしながら、前者の角柱状の紙器は、板紙で作製されているために、詰替え用容器としては、使用時の取扱易さ、包材コストや充填コストの点から不向きであった。また、後者のスタンディングパウチは、柔軟な単層又は多層のフィルムで作製されており、四角な形態が出来ない、収納容量の割に容器の大きさが大きくなる、自立性が悪い、安っぽいなど欠点があった。
【０００４】
本発明は、上述の従来の自立容器における問題点を解決したものであり、包材コストが比較的に安価であり、四角な形態でコンパクトで軽量であり物流コストが削減でき、店頭での展示効果が良好で、インライン充填が可能な補強四角底パウチを提供するものである。
【課題を解決するための手段】
【０００５】
すなわち、本発明の第１の発明は、単層又は多層の熱可塑性樹脂フィルムからなり、底面を四角形に形成したパウチ本体の表裏左右側面の外側に、シート状補強材を全面熱融着して設けたことを特徴とする補強四角底パウチである。
【０００６】
次に、本発明の第２の発明は、前記シート状補強材が、前記パウチ本体の表裏左右側面の外側の下方部に全面熱融着して設けたことを特徴とする第１の発明に記載の補強四角底パウチである。
【０００７】
次に、本発明の第３の発明は、前記パウチ本体の背シール部が合掌シールで、該背シール部以外の表裏左右側面の外側に、シート状補強材を全面熱融着して設けたことを特徴とする第１又は第２の発明に記載の補強四角底パウチである。
【０００８】
次に、本発明の第４の発明は、前記シート状補強材が、板紙であることを特徴とする第１乃至第３の発明に記載の補強四角底パウチである。
【０００９】
次に、本発明の第５の発明は、前記シート状補強材が、熱可塑性樹脂シートであることを特徴とする第１乃至第３の発明に記載の補強四角底パウチである。
【００１０】
そして、本発明の第６の発明は、前記シート状補強材の片面にヒートシール性樹脂層を設け、該シート状補強材のヒートシール性樹脂層を、前記パウチ本体の外面に全面熱融着したことを特徴とする第１乃至第５の発明に記載の補強四角底パウチである。
【発明の効果】
【００１１】
本発明の補強四角底パウチは、単層又は多層の熱可塑性樹脂フィルムからなる底面が四角形のパウチ本体と、このパウチ本体の表裏左右側面の外側に設けられたシート状補強材とからなり、包材コストが比較的に安価である。
【００１２】
また、本発明の補強四角底パウチは、底面が四角形のパウチ本体の表裏左右側面の外側にシート状補強材が全面熱融着して設けられているため、四角な形態がしかり保持されてコンパクトであり、材質も軽量であるため、物流コストが比較的に安価である。
【００１３】
また、本発明の補強四角底パウチは、パウチ本体の表裏左右側面の外側の下方部にシート状補強材が全面熱融着して設けられており、容器がきちっとした四角な形態を保持しているため、店頭での展示効果が良好である。
【００１４】
また、本発明の補強四角底パウチは、シート状補強材を所定位置に熱融着したスリーブを充填機に供給すると、製袋、充填、シールすることができ、インライン充填が可能である。
【発明を実施するための最良の形態】
【００１５】
次に、本発明の補強四角底パウチの実施の形態について、図を用いて詳細に説明する。
【００１６】
図１（ａ）は、一実施形態の補強四角底パウチの正面側の斜視図であり、図１（ｂ）は、その背面側の斜視図である。  図２および図３は、底部のシール形態を示す説明図である。
【００１７】
本発明の補強四角底パウチ（１００）は、図１（ａ）に示すように、底面（１１６）を四角形に形成したパウチ本体（１１０）の表裏左右側面（１１２，１１４，１１１，１１３）の外側に、シート状補強材（１２０）を全面熱融着して設けたものである。パウチ本体は、単層又は多層の熱可塑性樹脂フィルムから構成されるが、容器の使用目的に合わせて、フィルムの積層構成を選択設定するものである。なお、単層フィルムには、ヒートシール性を有する熱可塑性樹脂を用い、多層フィルムには、最内層及び最外層にヒートシール性樹脂層を設けるものである。
【００１８】
シート状補強材としては、板紙、熱可塑性樹脂シートなどが用いられるが、パウチ本体と熱融着できない材質の場合には、シート状補強材の片面にヒートシール性樹脂層を設けて、このシート状補強材のヒートシール性樹脂層を、パウチ本体の外面にヒートシール法により全面熱融着するものである。
【００１９】
シート状補強材（１２０）を熱融着して設ける位置は、図１（ａ）に示すように、通常では、パウチ本体（１１０）の表裏左右側面（１１２，１１４，１１１，１１３）の外側の下方部である。なお、シート状補強材（１２０）は、図１（ｂ）に示すように、パウチ本体（１１０）の背シール部（１１７）以外の表裏左右側面（１１２，１１４，１１１，１１３）の外側の全面に熱融着しており、パウチ本体（１１０）とシート状補強材（１２０）との間に隙間を生じることがないので、使用上における指への引っ掛かりや剥がれなどがない。
【００２０】
また、パウチ本体の背シールは、合掌シールであり、図１（ｂ）に示すように、この合掌シール部（１１７）以外の表裏左右側面（１１２，１１４，１１１，１１３）の外側に、シート状補強材（１２０）を全面熱融着して設けるものである。
【００２１】
底面の四角形状のシール形態は、図２（ａ）又は（ｂ）に示すように、正面下方の底面（１１６ｂ）と裏面下方の底面（１１６ｄ）を内側に折込み先端部を重ね合わせ、連れて
左右側面下方の底面（１１６ａ，１１６ｃ）も三角状に折り畳まれ、前後方向の中央位置の重ね合わせ部を熱融着して底シール部（１１６ｅ）を形成し、次に、図２（ａ）に示すように、左右側面下方の底面（１１６ａ，１１６ｃ）の三角状部を内側に折り畳んで正面下方の底面（１１６ｂ）と裏面下方の底面（１１６ｄ）に熱融着してシールするものであり、または、図２（ｂ）に示すように、左右側面下方の底面（１１６ａ，１１６ｃ）の三角状部を外側に折り畳んで左右側面（１１１，１１３）にそれぞれ熱融着してシールするものである。なお、天面の四角形状のシール形態も同様である。
【００２２】
また、他の底面又は天面の四角形状のシール形態としては、図３（ａ）に示すように、左右側面の下方の底面（１１６ａ，１１６ｃ）を内側に三角状に折り込み、図３（ｂ）に示すように、前後方向の中央位置の正面下方の底面（１１６ｂ）と裏面下方の底面（１１６ｄ）との重ね合わせ部を熱融着して底シール部（１１６ｅ）を形成すると同時に、左右側面下方の底面（１１６ａ，１１６ｃ）の三角状の折込み部分も熱融着して底面をシールするものである。なお、天面の四角形状のシール形態も同様である。
【図面の簡単な説明】
【００２３】
【図１】（ａ）は、本発明の一実施形態の補強四角底パウチの正面上側から見た斜視図であり、（ｂ）は、その背面上側から見た斜視図である。
【図２】（ａ）及び（ｂ）は、それぞれ図１に示す補強四角底パウチの底面のシール形態を示す説明図である。
【図３】（ａ）及び（ｂ）は、他の底面のシール形態のシール過程を示す説明図である。
【符号の説明】
【００２４】
１００……補強四角底パウチ
１１０……パウチ本体
１１１……左側面
１１２……正面
１１３……右側面
１１４……裏面
１１５……天面
１１６……底面
１１６ａ……左側面下方の底面
１１６ｂ……正面下方の底面
１１６ｃ……右側面下方の底面
１１６ｄ……裏面下方の底面
１１６ｅ……底シール部                                                          １１７……背シール部
【図１】
2009067445.tif 000003
【図２】
2009067445.tif 000004
【図３】
2009067445.tif 000005